(57)【要約】      （修正有）【課題】流し台の排水口の下方に取り付けられ、厨芥を破砕し、且つ、脱水させることによって、厨芥量を著しく減らすことができる厨芥処理装置を提供する。【解決手段】厨芥処理装置は、上部に投入口が形成され、下部の一側に排水口が形成され、下部の他側に残滓が排出される排出孔が形成されたハウジングと、前記ハウジングの内側に排水網が備わり、且つ、中央の内周面に複数の壁面刃を持つドラムが設けられ、下部に脱水網が備わる内部ケースと、前記内部ケースの排水網内部に設けられ、排水網に接する螺旋形の羽根を備えて下部に案内する投入スクリューと、前記内部ケースの内側に垂直に設けられ、複数のスクリュー羽根が備わり、且つ、回転することによって厨芥を下方へ移送させながら破砕及び圧縮脱水を行い、脱水済みの残滓を前記ハウジングの排出孔へ排出させる破砕スクリュー及び、前記破砕スクリューを回転させる駆動手段とから構成される。【選択図】  図３
2006212620.tif 000002
【特許請求の範囲】
【請求項１】
上部に厨芥が投入される投入口が形成され、下部の一側に投入された厨芥の中で分離された浸出水が排出される排水口が形成され、下部の他側に厨芥の中で脱水された残滓が排出される排出孔が形成されたハウジングと、
前記ハウジングの内壁より所定間隔をおいて設けられ、上部に厨芥と共に流れ込まれた水が排出される排水網が設けられ、且つ、中央の内周面に複数の壁面刃を持つドラムが設けられ、下部に前記浸出水が排出される脱水網が備わる内部ケースと、
前記内部ケースの内側に垂直に設けられ、外周面にドラムの壁面刃及び脱水網にそれぞれ接触する複数のスクリュー羽根が備えられ、且つ、回転することによって厨芥を下方へ移送させながら破砕及び圧縮脱水させ、脱水済みの残滓を前記ハウジングの排出孔へ排出させる破砕スクリュー及び、
前記破砕スクリューを回転させる駆動手段を包含して成されることを特徴とする厨芥処理装置。
【請求項２】
前記ハウジングの底面に着脱自在に結合され、上部に前記ハウジングの排出孔と連通し、脱水済みの残滓を案内する流入孔が形成され、且つ、一側に前記残滓が外部に排出される排出口が形成され、他側に前記流入孔の下部に密着されて、前記残滓が下方に流れないように、一時的に支持する支持板を備える排出ノズルをさらに含むことを特徴とする請求項１に記載の厨芥処理装置。
【請求項３】
前記ハウジングの下面には、その深さが次第に深まり、末端が前記ハウジングの排出孔につながり、前記破砕スクリューが回転することによって、脱水済みの残滓を前記ハウジングの排出孔へ案内する排出溝が形成されることを特徴とする請求項１又は２に記載の厨芥処理装置。
【請求項４】
前記ドラムの壁面刃の高さが下部に近づくにつれて、次第に低くなることによって、厨芥が下部へ移送されるほど細かく破砕できることを特徴とする請求項１又は２に記載の厨芥処理装置。
【請求項５】
前記破砕スクリューは、前記駆動手段の回転軸と分離可能に組み合わされるようにボルトにより締め付けられるに際して、破砕スクリューを押出可能にするために別の押出ボルト孔を備えたことを特徴とする請求項１に記載の厨芥処理装置。
【請求項６】
前記内部ケースの排水網内部に設けられ、外周縁が前記内部ケースの排水網に接する螺旋形の羽根を備えて、投入された厨芥を前記内部ケースの下部に案内する投入スクリューをさらに包含して構成されることを特徴とする請求項１に記載の厨芥処理装置。
【請求項７】
前記投入スクリューの羽根の螺旋方向と前記破砕スクリューの羽根の螺旋方向とが反対になされていることを特徴とする請求項６に記載の厨芥処理装置。
【請求項８】
前記内部ケースの排水網の内周面下部に形成された排水網突起と前記破砕スクリューの羽根の外周縁上部に形成されたスクリュー突起とが噛み合い、前記破砕スクリューが回転されることによって、前記排水網も共に回転されることを特徴とする請求項１に記載の厨芥処理装置。
【請求項９】
前記排水網の外周面と接するブラシが備わるブラシ部材をさらに含んでなされることを特徴とする請求項８に記載の厨芥処理装置。
【請求項１０】
前記破砕スクリューと共に回転できるように前記破砕スクリューの底面に結合され、破砕スクリューの排出顎と排出顎間の下側に位置する第２排出孔が形成されて、脱水済みの残滓を前記ハウジングの第１排出孔へ案内する回転板をさらに含むことを特徴とする請求項１に記載の厨芥処理装置。
【請求項１１】
破砕スクリューが回転される際、回転板もこれに連動して回転され、且つ、前記脱水網の網目に付いている水垢や残滓が除去できるように、前記回転板の端に前記脱水網の外周面と接するブラシが備わることを特徴とする請求項１０に記載の厨芥処理装置。
【請求項１２】
厨芥を圧縮脱水する過程で生じた押出力が前記駆動手段内部へ流入されず、排水口へ排出できるように前記ハウジング底面内部に圧力排出路が形成されることを特徴とする請求項１に記載の厨芥処理装置。
【請求項１３】
前記破砕・脱水装置の一側に設けられ、該破砕・脱水装置により破砕・脱水された厨芥の残滓を収容する保管装置及び、前記保管装置に厨芥の残滓が一定量詰められるとそれ自体の重力により、これを感知し、使用者に知らせる報知装置をさらに包含して構成されることを特徴とする請求項１に記載の厨芥処理装置。
【請求項１４】
前記保管装置は、
該内部に所定空間を形成し、厨芥の残滓を入れる回収筒と、
前記回収筒の上端に着脱可能に組み合い、前記回収筒を密閉し、残滓が通過するように、一側に収容孔が形成される回収筒キャップ及び、
前記破砕・脱水装置と前記回収筒キャップとを連結し、厨芥の残滓を回収筒に案内する排出管を包含して構成されることを特徴とする請求項１３に記載の厨芥処理装置。
【請求項１５】
前記保管装置が、前記破砕・脱水装置に連結され、且つ、支持できるように構成するために、前記回収筒キャップの一側にヒンジ軸が形成され、前記ヒンジ軸は、前記駆動手段の上部に設けられた支持部に引っ掛かることで、固定できることを特徴とする請求項１４に記載の厨芥処理装置。
【請求項１６】
前記排出管は、両側が開放されるように開口部が備わるが、一側の開口部は、前記排出ノズルの排出口と連通し、且つ、他側の開口部は、回収筒キャップの収容孔と連通されていて、排出管は軟質のゴム材からなることを特徴とする請求項１４に記載の厨芥処理装置。
【請求項１７】
前記報知装置は、
前記回収筒の下部に対応するように、前記破砕・脱水装置の下部一側に設けられ、回収筒に収容された厨芥の残滓量を感知する感知部と、
前記感知部を介して感知した残滓量が基準値を超えると、これを使用者に知らせる制御器盤を包含して構成されることを特徴とする請求項１３または１４に記載の厨芥処理装置。
【発明の詳細な説明】
【技術分野】
【０００１】
本発明は、流し台の排水口の下方に取り付けられ、厨芥を脱水すると共に破砕することによって、厨芥量を著しく減らすことができる厨芥処理装置に関する。
【背景技術】
【０００２】
一般に、厨芥処理装置は、厨芥投入口と排出口とが設けられた本体と、投入された厨芥を破砕するスクリューとを備えている。
【０００３】
従来、かかる厨芥処理装置等のうちに、本出願人が出願し、且つ、登録広告されたものが知られている（特許文献１参照）。
【０００４】
前述した登録特許に開示された厨芥処理装置１００によると、図１に示されたように、破砕スクリュー１０２を、細切刃１０７と排水口１０８とを備えたドラム胴体１０６に組み合わせ、前記破砕スクリュー１０２をドラム胴体１０６に対して回転させることによって、厨芥を脱水する。前記ドラム胴体１０６の一側には、水分だけを排出する脱水口１１１と脱水済みの残滓だけを排出する排出口１０８と（図示せず）をそれぞれ備えた脱水キャップ１１３が螺嵌され、且つ、他側には多数の通孔から成されたフィルター１１４と、分解可能な蓋１１５とが組み付けられる。
【０００５】
前記厨芥処理装置１００によると、投入口１１６は垂直に設けられているが、破砕スクリュー１０２は水平に設けられることによって、厨芥が水平に移動されながら、破砕及び圧着できるように構成されている。そのため、柔らかくて、脆い厨芥が投入されると、残滓の排出がよく行われず、コロイド状態になり浸出水と共に排出口１０８へ排出されることによって、水質汚染を引き起こすという問題が生じる。また、破砕スクリュー１０２により破砕されにくい固い異物が投入された場合には、厨芥処理装置１００を分解しなければならなかった。
【０００６】
さらに、図２に示されたように、厨芥の残滓排出口１３に残滓筒６０を設けるために、別途の棚６０’を必要とし、残滓筒６０を排出口１３に連結するに際しては、締結装置をも必要とする。且つ、使用者が、前記残滓筒６０に入っている厨芥の残滓量を確認することができないため、残滓の排出時期を認知しにくかった。
【０００７】
【特許文献１】韓国登録特許公報第２４０２２９号
【発明の開示】
【発明が解決しようとする課題】
【０００８】
本発明は、前記問題等に鑑みて成されたものであって、該目的は、排水網が厨芥により詰まることなしに、固い異物が投入された場合にも厨芥処理装置を分解せずに、容易に除去し得る厨芥処理装置を提供することにある。
【０００９】
本発明の他の目的は、破砕済みの厨芥を適宜に排出すると同時に浸出水と厨芥とをより正確に分離し、水質汚染を最小化することから、厨芥を著しく減らし得る厨芥処理装置を提供することにある。
【００１０】
本発明のさらに他の目的は、長時間使用しても破砕・脱水及び残滓排出機能が低下することなしに、減速ギア側に漏水が生じない厨芥処理装置を提供することにある。
【００１１】
本発明のさらに他の目的は、厨芥の残滓筒を、破砕・脱水処理装置の一側に備え、残滓筒を破砕・脱水処理装置から容易に脱着することができる厨芥処理装置を提供することにある。
【００１２】
本発明のさらに他の目的は、残滓筒に収容された厨芥の残滓量を確認しなくても、残滓筒に入っている残滓の荷重を利用することで、使用者が、回収時期を容易に認知し得る厨芥処理装置を提供することにある。  
【課題を解決するための手段】
【００１３】
本発明による厨芥処理装置は、上部に厨芥が投入れる投入口が形成され、下部の一側に、投入された厨芥の中で分離された浸出水が排出される排水口が形成され、下部の他側に、厨芥の中で脱水された残滓が排出される排出孔が形成されたハウジングと、前記ハウジングの内壁から所定間隔をおいて設けられ、上部に厨芥と共に流れ込まれた水が排出できる排水網が備わり、且つ、中央の内周面に複数の壁面刃を持つドラムが設けられ、下部に前記浸出水が排出される脱水網が備わる内部ケースと、前記内部ケースの内側に垂直に設けられ、外周面にドラムの壁面刃及び脱水網にそれぞれ接触する複数のスクリュー羽根が備わり、且つ、回転することによって厨芥を下方へ移送させながら破砕及び圧縮脱水を行い、脱水済みの残滓を前記ハウジングの排出孔へ排出させる破砕スクリュー及び、前記破砕スクリューを回転させる駆動手段とを、包含して構成される。
【００１４】
前記ハウジングの底面に着脱自在に結合され、上部に前記ハウジングの排出孔と連通し、脱水済みの残滓を案内する流入孔が形成され、一側に前記残滓が外部に排出される排出口が形成され、且つ、他側に前記流入孔の下部に密着されて、前記残滓が下方に流出できないように、一時的に支持する役割を奏する支持板を備える排出ノズルをさらに含む。
【００１５】
前記ハウジングの下面には、該深さが次第に深まり、末端が前記ハウジングの排出孔につながり、前記破砕スクリューが回転することによって、脱水済みの残滓を前記ハウジングの排出孔へ案内する排出溝が形成される。
【００１６】
前記ドラムの壁面刃の高さが下向きに、次第に、低くなることによって、厨芥が下部へ移送されるほど細かく破砕できる。
【００１７】
前記破砕スクリューは、前記駆動手段の回転軸と分離可能に組み合わされるようにボルトにより締め付けられるに際して、破砕スクリューを押出可能にするように別の押出ボルト孔を備える。
【００１８】
前記内部ケースの排水網内部に設けられ、外周縁が前記内部ケースの排水網に接する螺旋形の羽根を備えて、投入された厨芥を前記内部ケースの下部に案内する投入スクリューをさらに包含して構成される。
【００１９】
前記投入スクリュー羽根の螺旋方向と、前記破砕スクリュー羽根の螺旋方向とが互いに反対に構成されている。
【００２０】
前記内部ケースの排水網の内周面下部に形成された排水網突起と前記破砕スクリューのスクリュー羽根の外周縁上部に形成されたスクリュー突起とが噛み合い、前記破砕スクリューが回転されるにつれ、前記排水網も共に回転されることになる。
【００２１】
前記排水網の外周面と接するブラシが備わるブラシ部材をさらに含んでなされる。
【００２２】
前記破砕スクリューと共に回転できるように前記破砕スクリューの底面に組み合わされ、破砕スクリューの排出顎と排出顎間の下側に位置する第２排出孔が形成されて、脱水済みの残滓を前記ハウジングの第１排出孔へ案内する回転板をさらに含んで構成される。
【００２３】
破砕スクリューが回転される際、回転板もこれに連動して回転され、且つ、前記脱水網の網目に付いた水垢や残滓を除去させるように前記回転板の端に前記脱水網の外周面と接するブラシが備わる。
【００２４】
厨芥を圧縮脱水する過程で生じた押出力が前記駆動手段内部へ流入されず、排水口へ排出できるように前記ハウジング底面内部に圧力排出路が形成される。
【００２５】
前記破砕・脱水装置の一側に設けられ、破砕・脱水装置で破砕・脱水された厨芥の残滓を収容するための保管装置及び、前記保管装置に残滓が一定量詰められるとそれ自体の重力により、これを感知し、使用者に知らせる報知装置をさらに包含し構成される。
【００２６】
前記保管装置は、該内部に所定空間を設け、厨芥の残滓を入れる回収筒と、前記回収筒の上端に着脱可能に組み合うことで、前記回収筒を密閉し、且つ、残滓が通るように、一側に収容孔が備えられる回収筒キャップ及び、破砕・脱水装置と回収筒キャップとを連結して、残滓を回収筒に案内する排出管を包含して構成される。
【００２７】
前記保管装置が前記破砕・脱水装置に連結され、且つ、支持できるようにするために、前記回収筒キャップの一側にヒンジ軸が設けられ、該ヒンジ軸は、前記駆動手段の上部に設けられた支持部に引っ掛かることで、固定してくれる。
【００２８】
前記排出管は、両側が開放できるように開口部を備え、一側の開口部は、前記排出ノズルの排出口と連通し、他側の開口部は、回収筒キャップの収容孔と連通し、且つ、排出管は軟質のゴム材からなる。
【００２９】
前記報知装置は、前記回収筒の下部に対応するように、前記破砕・脱水装置の下部一側に設けられ、回収筒に収容された厨芥の残滓量を感知するための感知部と、前記感知部を介して感知した残滓の量が基準値を超えると、これを使用者に知らせる制御器盤を包含して構成される。
【発明の効果】
【００３０】
以上の通り、本発明によれば、次のような効果を奏するものである。
１）厨芥と共に流れ込まれた水は、１次的に排水網を介して排出され、破砕圧縮された厨芥から出る浸出水が２次的に脱水網を介して排出されることになる。前述したように、厨芥の破砕圧縮及び脱水過程を介して厨芥の残滓量が著しく減ることになるため、一週間に一回ほど回収筒を空にすることだけで充分である。且つ、頻繁に厨芥を手で引き上げ出して、脱水し、再び移さなければならなかった煩わしい過程が省略でき、厨芥に悩まされる消費者の欲求を満足させることができる。
２）投入スクリュー及び破砕スクリューは、スクリュー羽根が排水網と脱水網とに密接に回転することによって、排水網と脱水網とに付いた残滓を引っ掻く役割を奏することになるため、排水網及び脱水網が詰まることを防止する。
３）固い異物が投入されても破砕スクリューを逆回転させると、異物が逆に上がってくることになるため、容易に異物を除去することができる。それとも、スクリューだけを簡単に分解し得るため、メンテナンスにも容易に対応できる。
４）厨芥と共に流れ込まれた水は、１次的に排水網を介して排出され、破砕圧縮された厨芥から出る浸出水が、２次的に脱水網を介して排出されることによって、排出孔から排出される厨芥の残滓量が著しく減るという効果を奏する。
５）ハウジング底面に排出ノズルが着脱可能に結合され、ハウジングの排出孔が固い異物により詰まってしまう場合にも、速やかに除去し得る。
６）投入スクリューの羽根下端と破砕スクリューの羽根上端とが交差することで、投入スクリューにより案内された厨芥が切断されることによって、投入が円滑になされると共に、１次的に破砕されるという効果が望まれる。
７）排水網が破砕スクリューと共に回転することにより、投入された厨芥が下方にうまく移送され、投入スクリューとブラシとが排水網の内・外壁を引っ掻くことにより排水網の網目が詰まらない。
８）脱水網の外壁に接して回転するブラシにより脱水網の網目に水垢や残滓が付かない。
９）長期間使用した場合にも、破砕スクリューとハウジングとの間に回転板を設けることによって、厨芥が付かず、円滑に排出が行われる。
１０）圧力排出路を形成することによって、防水パッキングが緩んでも減速ギア内部へ漏水が生じない。
１１）流し台のシンクの下部に取り付けることによって、別の設置空間を必要とせずに、流し台の内部空間を効率的に活用し得る。
１２）厨芥の残滓に直接手を触れる必要がないため、衛生的である。
１３）厨芥の残滓を排出する時期を警告灯、或いは、警告音を介して使用者に報知することによって、厨芥の残滓量を頻繁に確認しなくてもよい。
１４）流し台のドアを開放し、両手で締結部を解体し、回収筒を胴体から取り外すという動作だけで、厨芥の残滓を排出し得るため、残滓の回収が非常に簡単である。
【発明を実施するための最良の形態】
【００３１】
以下、図面を参照として本発明による厨芥処理装置の構成及び作用を説明する。
図１は、従来の厨芥処理装置の断面図であり、図２は、本発明の厨芥処理装置の使用状態図であり、図３は、本発明の厨芥処理装置の一部切開分解斜視図であり、図４は、本発明による厨芥処理装置の断面図であり、図５ａは、本発明の厨芥処理装置における投入スクリューの平面図であり、図５ｂは、本発明の厨芥処理装置における投入スクリューの側面図であり、図６は、本発明の厨芥処理装置における回転板の斜視図であり、図７は、本発明の他の実施例による厨芥処理装置の要部斜視図であり、図８は、本発明の他の実施例による厨芥処理装置の要部断面図であり、図９は、本発明の他の実施例による厨芥処理装置における底板の平面図であり、図１０は、本発明による厨芥処理装置における保管装置の分解斜視図であり、図１１及び図１２は、本発明の厨芥処理装置における保管装置の断面図であり、図１３は、本発明の厨芥処理装置における保管装置の要部分解斜視図であり、図１４は、本発明の厨芥処理装置の設置状態図、図１５ａないし図１５ｄは、本発明による厨芥処理装置の使用状態図である。
【００３２】
先ず、本発明による厨芥処理装置の構成を説明する。
本発明による厨芥処理装置は、上部から厨芥が投入されると、下部に設けられた駆動手段によりスクリューが回転しながら、厨芥を破砕・脱水し、厨芥と共に流れ込まれた水及び厨芥から分離された浸出水を除いた厨芥だけを排出させる破砕・脱水装置２と、該破砕・脱水装置２の一側に設けられ、破砕・脱水済みの残滓を収容する保管装置１００と、前記保管装置１００に残滓が所定量詰められると、残滓それ自体の重力によりこれを感知し、且つ、使用者に知らせる報知装置２００とからなる。
【００３３】
図３ないし図６に示されたように、本発明による破砕・脱水装置２は、中空円筒状のハウジング１０と、ハウジング１０の底面に着脱可能に組み合わされる排出ノズル５０と、ハウジング１０内部に設けられ、該上側に排水網２１を備える中空円筒状の内部ケース２０と、前記排水網２１の内部に位置し、投入された厨芥を下方に移送させる投入スクリュー６０と、内部スクリュー２０の内部に回転可能に設けられ、投入された厨芥を移送、切断、破砕、圧縮して脱水する破砕スクリュー３０と、破砕スクリュー３０の底面に組み合わされる回転板７０と、破砕スクリュー３０を回転させる駆動手段４０とからなる。
【００３４】
前記ハウジング１０は、流し台の排水口に設けられるものであって、厨芥が投入される投入口１１と、厨芥から分離された浸出水が排出される排水口１２と、破砕脱水された厨芥が排出される第１排出孔１３と、破砕脱水された厨芥が第１排出孔１３の方に円滑に排出できるように案内する傾斜のある排出溝１４と、減速ギア４２の回転軸３２が貫通される第１貫通孔１６と、排出ノズル５０が挿入される挿入溝１８とがそれぞれ所定位置に設けられる。
【００３５】
前記投入口１１は、ハウジング１０の上部に円形に形成され、投入口１１の内周面両側には投入スクリュー６０の固定突起６３が挿入できるように垂直に延長されてから再び投入口１１の円周方向に所定長さほど延長される挿入溝１７が備わる。投入口１１の内周面の下端には、後述する内部ケース２０の排水網２１の上端縁が挿入できるように円形溝１５が備わる。
【００３６】
前記排水口１２はハウジング１０の下部一側に設けられ、且つ、第１排出孔１３はハウジング１０の下面一側に円弧形状に形成される。また、排出溝１４は、ハウジング１０の下面他側に円弧形状に形成されるが、次第に、その深さが深まり、末端が第１排出孔１３に連結される。従って、破砕スクリュー３０と回転板７０とが回転することによって、排出溝１４が破砕脱水済みの厨芥をハウジング１０の第１排出孔１３へ案内することになり、破砕脱水された厨芥が一層よく排出できる。
【００３７】
そして、減速ギア４２の回転軸３２が貫通される第１貫通孔１６は、ハウジング１０の下面中央に円形に形成され、排出ノズル５０が挿入される挿入溝１８はハウジングの底面一側に形成される。
【００３８】
前記排出ノズル５０は、前記挿入溝１８に着脱自在に設けられ、且つ、前記排出ノズル５０の上部にはハウジング１０の第１排出孔１３から排出された厨芥が流入されるように前記第１排出孔１３と連通される流入孔５１が形成され、一側には厨芥が外部に排出できる排出口５３が形成され、且つ、前記流入孔５１の下部には流入された厨芥を一時的に支持してくれる支持板５２が備わる。
【００３９】
前記支持板５２は、ゴムの他に弾性材からなるために、前記第１排出孔１３と、流入孔５１とを通して流入された厨芥が支持板５２に積載され、前記第１排出孔１３と流入孔５１とを一時的に塞いでくれることになる。このため、浸出水が排出口５３の方に排出されず、脱水網２３に排出することになる。
【００４０】
前記内部ケース２０は、ハウジング１０の投入口１１に下向きに延長され、投入された厨芥が破砕スクリュー３０により破砕及び圧縮脱水される空間として、ハウジング１０の内部にハウジング１０の内壁から所定間隔をおいて離れれて設けられ、排水網２１、ドラム２２、脱水網２３を含んで成される。
【００４１】
排水網２１は、中空円筒状から構成されて内部ケース２０の上部に設けられ、円周面に複数の網目が形成され、厨芥と共に流入された水が一次的に網目を介して排出される。そして、排水網２１の上端縁はハウジング１０の投入口１１の下端に形成された円形溝１５に回転自在に挿入され、排水網２１の下端縁はドラム２２上端の段顎部に堅固に取り付けられる。また、排水網２１の内周面下側に排水網突起２１ａが形成されるが、破砕スクリュー３０のスクリュー突起３６が排水網突起２１ａと同一平面上で密着され、破砕スクリュー３０が回転することによって、排水網２１も共に回転し得ることになる。
【００４２】
前記ドラム２２も、やはり、中空の円形状からなり、内部ケース２０の中央に形成されるが、内周面に複数の壁面刃２２ａが、一定の間隔をおいて離隔され、垂直に形成される。垂直の壁面刃２２ａは、厨芥が破砕スクリュー３０により内部ケース２０の下部に移送されるにつれて、細かく破砕できるように内周面から突き出された高さが、下向きに進むほど徐々に低くなる。且つ、厨芥が過度に破砕されることを防ぐ為に、交代して壁面刃２２ａの上側一部が除去されることが好ましい。そして、ドラム２２は、ハウジング１０と複数の脚２２ｄとにより堅固に結合され、且つ、脚２２ｄの上面には俳水網の外周面と接するブラシ２２ｃを有するブラシ部材２２ｂが設けられる。
【００４３】
前記脱水網２３は、内部ケース２０の下部に位置し、且つ、円筒形状からなり、前記円筒外周面には排水網２１の網目より小さいスケールの網目が複数個形成され、脱水網２３の下端が回転板７０の上面と接することになる。従って、厨芥が破砕スクリュー３０により圧着されることによって発生した浸出水が脱水網２３を介して排出されることになる。そして、破砕済みの厨芥を下方に圧縮させる圧縮力を高めるために、前記壁面刃２２ａの延長線上に係止顎２３ａを形成し、且つ、係止顎２３ａの高さは、前記壁面刃２２ａの高さより低く形成することが好ましい。
【００４４】
前記投入スクリュー６０は、円柱形状の胴体６１と、前記円柱外周面に設けられた螺旋状の羽根６２とからなる。そして、前記羽根６２の螺旋方向は、破砕スクリュー３０の外周面に形成されたスクリュー羽根３１の螺旋方向と反対に形成されることに、本発明の特徴がある。前述したように、前記羽根６２の上部一側には固定突起６３が備わり、投入口１１の内周面一側に形成された挿入溝１７に挿入された後、所定角度ほど回転させることによって、堅固に取り付けられる。また、破砕スクリュー３０を逆回転させると、容易に抜けられるように構成されている。
【００４５】
前記破砕スクリュー３０は、投入スクリュー６０の下方に位置し、内部ケース２０の内部に垂直に設けられ、且つ、回転板７０の上面に堅固に取り付けられ、縁部には投入スクリュー６０の羽根６１の螺旋方向と逆方向の螺旋方向を有する複数のスクリュー羽根３１が備わり、破砕スクリュー３０の底面には回転板７０の四角状突起７２が挿入できるように四角状の溝が設けられる。従って、破砕スクリュー３０が、駆動手段４０により回転すると、前記回転板７０がそれに連動し、共に回転することになる。
【００４６】
そして、破砕スクリュー３０の中央には減速ギア４２の回転軸３２が挿入できるように垂直の軸孔３５が形成され、軸孔３５の上部には、破砕スクリュー３０をより分離しやすくさせる為に、押出ボルト孔３５ａが設けられる。
【００４７】
一方、ボルト３３は、該下部にねじ山を備え、且つ、上部に前記ねじ山より直径の大きいヘッドを有していて、前記ボルト３３を前記軸孔３５に挿入し、且つ螺嵌すると、前記減速ギア４２の回転軸３２が破砕スクリュー３０の軸孔３５に締結固定されることになる。
【００４８】
前記破砕スクリューの回りに設けられた複数のスクリュー羽根３１の端面が内部ケース２０の壁面刃２２ａ及び脱水網２３の係止顎２３ａとそれぞれ接するように形成され、スクリュー羽根３１の外周縁上側にはスクリュー突起３６が形成される。従って、破砕スクリュー３０はドラム２２の壁面刃２２ａに相応して厨芥を細かく破砕させ、且つ、脱水網２３の係止顎２３ａに相応して厨芥を下方に圧縮させることになる。
【００４９】
また、破砕スクリュー３０の下端縁は回転板７０の第２排出孔７５内側に位置するように切削され、脱水網２３の下側に移送された厨芥をハウジング１０の排出溝１４に排出させるために、スクリュー羽根３１の下端にスクリュー羽根３１下部の突出高さより若干高い三角形状の排出顎３４が形成される。
【００５０】
前記駆動手段４０は、ハウジング１０の下部に設けられ、破砕スクリュー３０に動力を伝えるためのものであって、減速ギア４２と駆動モータ４１とから成る。減速ギア４２の一側は、駆動モータ４１の回転軸と組み合い、他側は回転軸３２と組み合うことになる。従って、駆動モータ４１の回転数（ｒｐｍ）が減速ギア４２により適宜に減少されて、破砕スクリュー３０を低速に回転させる。
【００５１】
また、減速ギア４２の回転軸３２は、破砕スクリュー３０に回転力を一層よく伝えるために、中央は、円形ではない、多角形からなり、上端は、前述したように、前記ボルト３３が嵌挿されるボルト孔３２ａが形成される。
【００５２】
前記回転板７０は、破砕スクリュー３０の下端外径よりやや大きい円板から成り、破砕スクリュー３０とハウジング１０との間に位置し、破砕スクリュー３０の底面に組み合い、前述したように回転板７０の四角状の突起７２が破砕スクリュー３０の底面に具備されている四角状の溝に挿入され、破砕スクリュー３０と共に回転することになる。そして、四角状突起７２の中央には、回転軸３２が挿入できるように第２貫通孔７３が設けられる。また、回転板７０の端部の一側には脱水網２３の外周面と接する第２ブラシ７１が垂直に設けられる。
【００５３】
そして、回転板７０の底面とハウジング１０の下面との磨耗を最小化させるために、回転板７０と接するハウジング１０の下面にはセラミック材からなるドーナツ形状の磨耗防止リング８０が備えられる。
【００５４】
また、厨芥の残滓が脱水網２３で圧縮されながら加わる流体の圧力が、減速ギア４２の内部に与えられず、排水口１２へ排出できるように圧力排出路９０が設けられるが、圧力排出路９０は、防水パッキング１９上側の第１貫通孔１６の円周面一側からハウジング１０の下部を貫通して、ハウジング１０の底面と通じるように設けられる。
【００５５】
本発明の他の実施例によれば、図７ないし図９に示されたように、セラミック材から成る別の底板２５０を設けることによって、回転板２００の下部の磨耗を防止し得るばかりでなく、ハウジング２４０を金属材に代えて合成樹脂材から構成することも可能であることから、製造工程の断縮、原価コスト低減及び機器軽量化などを図るという効果をも期待てきる。
【００５６】
このために、ハウジング２４０の底面に所定深さの円形溝２４２を形成し、円形溝２４２に底板２５０を挿入する。また、底板２５０が円形溝２４２に堅固に取り付くようにするためには、底板２５０の外縁には固定突起２５２が備わり、且つ、円形溝２４２の外縁には固定溝２４４がさらに備わる。
【００５７】
前記底板２５０の中央には、回転軸２１０が挿入できる貫通孔が形成され、該貫通孔の外郭には排出溝２５６が円弧形状に形成され、且つ、排出溝２５６の仕上がる部分には第１排出孔２５８が上下を貫通するように形成される。
【００５８】
本発明の他の実施例では、前記排出溝２５６は、第１排出孔２５８の方に進めば進むほど該深さがだんだん深まると共に、左右端面が内側に向かって次第に傾く傾斜面を形成していることを特徴とし、且つ、前記排出溝２５６の内側には所定深さの環状溝２６０が設けられていることを特徴とする。
【００５９】
そして、前記回転板２００の底部には、前記環状溝２６０に対応する環状突起２０６が形成され、環状突起２０６が環状溝２６０に挿入されたまま、回転板２００が底板２５０に対して回転運動を行えるように構成される。排出溝２５６は、該断面を基準にしてみると、傾斜面だけが固定されていて、一側面は、環状突起２０６により相対運動を行い、上面は、回転板２００により相対運動し、排出溝２５６に移動中の残滓の進行をより円滑に行えるという利点がある。即ち、一つの面は、固定面であり、残り二つの面を運動面であって、前記運動面等は、残滓の移動を促進する。
【００６０】
図１０に示されたように、前記保管装置１００は、前記破砕・脱水装置２の一側に設けられ、前記装置２から破砕・脱水された厨芥の残滓を収容する装置として、該内部に所定空間を設けて、残滓を入れるための長方形の回収筒１１０と、  前記回収筒１１０の上端に着脱可能に結合されて、前記回収筒１１０を密閉し、かつ、残滓が通過するように、一側に収容孔１１８が形成される回収筒キャップ１２０と、破砕・脱水装置２の排出ノズル５０と回収筒キャップ１２０とを連結し、残滓を回収筒１１０に案内する排出管１３０とからなる。
【００６１】
一方、保管装置１００が、破砕・脱水装置２に連結され、且つ、支持できるようにするために、前記回収筒キャップ１２０の一側にヒンジ軸１１２が左右に形成され、前記ヒンジ軸１１２は、駆動手段４０の上部に形成された支持部１１４に引っ掛かることで、固定される。前記排出管１３０は、両側が開放できるように開口部を有するが、一側の開口部は、排出ノズル５０の排出口５３と連通され、他側の開口部は、回収筒キャップ１２０の収容孔１１８と連通される。また、排出管１３０は、軟質のゴム材からなることが好ましい。
【００６２】
また、前記回収筒１１０と、回収筒キャップ１２０との間には厨芥の残滓から生じる汚臭が外部に流出できないように、ゴムパッキング１２２が設けられ、前記回収筒１１０の上端部の両側には回収筒１１０を回収筒キャップ１２０に着脱自在にするための締結部１２４が設けられる。したがって、回収筒１１０の残滓を空にしようとする場合には、使用者が、両手で締結部１２４を両側に広げることで、簡単に回収筒１１０を回収筒キャップ１２０から取り外すことができ、逆に、回収筒１１０を回収筒キャップ１２０に再び組み合わせるに際しては、締結部１２４を内側の方に引いてくればよい。
【００６３】
本発明の実施例では、回収筒１１０に厨芥の残滓がどれほど（回収筒の略７０％ほど）詰められると、これを外部に知らせるための報知装置２００がさらに設けられる。即ち、前記報知装置２００は、回収筒１１０の下部に対応するように回収筒１１０に対向する駆動手段４０の下部一側に設けられ、  回収筒１１０に収容された残滓の量を感知する感知棒２１１と、前記感知棒２１１から感知された残滓量が基準値を超過すると、これを使用者に知らせる報知装置２００とからなる。
【００６４】
したがって、回収筒１１０に厨芥の残滓がどれほど詰められると、残滓それ自体の重力により回収筒１１０が下方に荷重を受けることになり、前記支持部１１４とヒンジ連結された回収筒キャップ１２０のヒンジ軸１１２を中心にし時計方向に回収筒１１０が回動しながら、回収筒１１０の側面下部が感知棒２１１を加圧することになり、制御器盤２１２からこれを報知装置２００に伝送することによって、使用者が認知できるようにする。
【００６５】
前述したように、本発明によると、排出管１３０が軟質のゴムからなり、保管装置１００が駆動手段４０の一側に偏心されるように取り付けられているため、厨芥の残滓それ自体の重力により回収筒１１０はヒンジ軸１１２を中心にして回転運動を行うように構成されていて、回収筒１１０の回転力が感知棒２１０を加圧することで、残滓の排出時期を使用者に知らせることができる。
【００６６】
前述した構成による本発明の厨芥処理装置の作動を説明すると、以下のようである。
【００６７】
厨芥が水と共にハウジング１０の投入口１１へ投入されると、水は、一次的に内部ケース２０の上部に形成された排水網２１を介してほとんどが排出され、且つ、排水網２１を通過した水は、ハウジング１０と内部ケースとの空間を通過してハウジング１０の下部に設けられた排水口１２へ排出されることになる。
【００６８】
そして、破砕スクリュー３０が回転すると、破砕スクリュー３０のスクリュー突起３６が排水網突起２１ａを押すことになり、排水網も共に回転されるが、この際、  排水網２１の内壁に付いている厨芥は、投入スクリュー６０の羽根６２により掻き出され、排水網２１の外壁に付いている残滓はドラム２２の上部に設けられたブラシ部材２２ｂのブラシ２２ｃにより除去される。
【００６９】
そして、投入された厨芥は、螺旋方向が破砕スクリュー３０のスクリュー羽根３１と逆方向に構成された投入スクリュー６０の羽根６２により案内されて、破砕スクリュー３０の方に下向することになるが、前述したように、破砕スクリュー３０が回転しながら排水網２１も共に回転することによって、投入された厨芥が下方にうまく進むことになる。
【００７０】
また、厨芥が長い形状である場合、破砕スクリュー３０のスクリュー羽根３１の上端と投入スクリュー６０の羽根６２の下端とが密着交差されることで、厨芥の切断が行われる。そして、厨芥が一次的に切断されることで、厨芥の投入が円滑になる。破砕スクリュー３０へ移送された厨芥は、スクリュー羽根３１とドラム２２の壁面刃２２ａにより本格的に破砕をしはじめ、且つ、複数の壁面刃２２ａは、ドラム２２の内周面から突き出された高さが下方に向かって次第に低くなるように形成されて、厨芥が下部に移送されるほど細かく破砕されることになる。次に、破砕ずみの厨芥は、内部ケース２０の脱水網２３の最下端まで下向すると共に圧縮されるが、この際、圧縮された厨芥から出る浸出水は脱水網２３を介してハウジング１０の排出口１２へ排出される。
【００７１】
前述したように厨芥と共に投入された水は、一次的に排水網２１を介して排出され、且つ、圧縮済みの厨芥から出る浸出水が２次的に脱水網２３を介して排出されることによって、ハウジング１０の第１排出孔１３より排出される厨芥量は著しく減ることになる。
【００７２】
それから、破砕済みの厨芥が、内部ケース２０の脱水網２３の最下端まで圧縮されて下向する過程において、水分は脱水され、厨芥は、回転可能な回転板７０の第２排出孔７５を通過した後、排出孔１４に案内され、第１排出孔１３を介して排出ノズル５０に排出される。長時間使用することによって、回転板７０の底面が多少磨耗されても破砕スクリュー３０が厨芥を下方に圧縮させるため、該押出力を受けた回転板７０はいつもハウジング１０の底面と密着されることになり、隙間が生じない。そして、回転板７０の周縁に設けられた第２ブラシ７１が脱水網２３の外壁に接して回転することによって、脱水網２３の網目が残滓や水垢により詰まることがあまり生じない。
【００７３】
そして、破砕済みの厨芥が脱水網２３で圧縮されるため、ほとんどの水分が脱水網の網目を介して排水口１２に排出される。また、一部の水分は、内部の回転軸３２方向に流れ、防水パッキング１９の上部からハウジング１０の底面に貫通されている圧力排出路９０を介して排出されることによって、長時間使用により防水パッキング１９が多少緩むことになっても、減速ギア４２の方に漏水が生じない。
【００７４】
一方、厨芥は、ハウジング１０の下面で次第に深まる円弧状の排出溝１４により案内されることによって、うまく排出されることになる。
【００７５】
そして、ハウジング１０の第１排出孔１３と排出ノズル５０の流入孔５１とを通過して、排出ノズル５０の内部に流入された厨芥が流入孔５１の下方に設けられた支持板５２の上面に一時的に積載され、ハウジング１０の排出孔１３と排出ノズル５０の流入孔５１とを一時的に塞ぐことによって、厨芥から出る浸出水がハウジング１０の第１排出孔１３に排出されず、脱水網２３に排出されることになる。
【００７６】
次に、破砕スクリュー３０と回転板７０とにより、厨芥が、引き続き、排出ノズル５０に流入されると、弾性材の支持板５２が下方に曲がり、厨芥は排出ノズル５０の排出口５３を介して外部に排出されるが、破砕スクリュー３０の回転が中止されると、支持板５２の弾性により排出ノズル５０の流入孔５１を塞ぐ。
【００７７】
そして、排出ノズル５０が着脱可能にハウジング１０の底面に組み合わされているため、ハウジング１０の第１排出孔１３や排出ノズル５０の流入孔５１が固い異物により詰まってしまい、厨芥が下方に進むことができなくなった場合にも、排出ノズル５０をハウジング１０から取り外すことで、容易に異物を除去することができる。
【００７８】
また、投入口１１に固い異物を投入してしまった場合にも、破砕スクリュー３０を逆回転させることで、遡ってくる異物と共に投入スクリュー６０が投入口１１の挿入溝１７から分離できることから、異物除去が容易に行われる。
【００７９】
図１４に示されたように、厨芥処理装置が流し台のシンク下部につながり、且つ、使用者が容易に近づけるように、保管装置１００は、破砕・脱水装置２の外側に取り付けることになる。
【００８０】
図１５ａに示されているように、駆動手段４０により破砕スクリュー３０を駆動すると、排出ノズル５０の排出口５３から排出された厨芥の残滓は、排出管１３０を介して回収筒１１０の方に次々と積層され、回収筒１１０に一定量が詰められると、回収筒１１０が重力により下方に垂れることになる。且つ、回収筒１１０が駆動手段４０に偏心されるように連結されているため、ヒンジ軸１１２を中心にし、回収筒１１０が感知棒２１１側に回動され、図１２に示されたようにバネが弾支された感知棒２１１を次第に加圧することになる。感知棒２１１が少しずつ加圧され、制御器盤２１２に信号が入力されると、制御器盤２１２から報知装置２００に警告音と共に警告灯を作動させ、使用者が回収時点を認知し得る。
【００８１】
図１５ｂに示されたように、使用者が締結部１２４を両手で掴み、両側に引くと、締結部１２４が解体されながら回収筒１１０が回収筒キャップ１２０から取り外され、図１５ｃに示されたように、回収筒１１０の厨芥の残滓を別のところに捨てることができる。
【００８２】
図１５ｄに示されたように、回収筒１１０を回収筒キャップ１２０に位置させて、締結部１２４を両手で内側の方に押すと、回収筒１１０が回収筒キャップ１２０に組み付けられ、排出ノズル５０から排出される残滓を再び密閉状態に収容することになる。
【図面の簡単な説明】
【００８３】
【図１】従来の厨芥処理装置の断面図である。
【図２】従来の厨芥処理装置の使用状態図である。
【図３】本発明による厨芥処理装置の一部切開分斜視図である。
【図４】本発明による厨芥処理装置の断面図である。
【図５ａ】本発明による厨芥処理装置における投入スクリューの平面図である。
【図５ｂ】本発明による厨芥処理装置における投入スクリューの側面図である。
【図６】本発明による厨芥処理装置における回転板の斜視図である。
【図７】本発明の他の実施例による厨芥処理装置の要部斜視図である。
【図８】本発明の他の実施例による厨芥処理装置の要部断面図である。
【図９】本発明の他の実施例による厨芥処理装置における底板の平面図である。
【図１０】本発明による厨芥処理装置における保管装置の分解斜視図である。
【図１１】本発明による厨芥処理装置における保管装置の断面図である。
【図１２】本発明による厨芥処理装置における保管装置の断面図である。
【図１３】本発明による厨芥処理装置における保管装置の要部分解斜視図である。
【図１４】本発明による厨芥処理装置の設置状態図である。
【図１５ａ】本発明による厨芥処理装置の使用状態図である。
【図１５ｂ】本発明による厨芥処理装置の使用状態図である。
【図１５ｃ】本発明による厨芥処理装置の使用状態図である。
【図１５ｄ】本発明による厨芥処理装置の使用状態図である。
【符号の説明】
【００８４】
２      破砕・脱水装置
１０    ハウジング
１１    投入口
１２    排水口
１３    第１排出孔
１４    排出溝
１５    円形溝
１６    第１貫通孔
１７    挿入溝
２０    内部ケース
２１    排水網
２１ａ  排水網突起
２２    ドラム
２２ａ  壁面刃
２２ｂ  ブラシ
２２ｃ  第１ブラシ
２２ｄ  脚
２３    脱水網
２３ａ  係止顎
３０    破砕スクリュー
３１    スクリュー羽根
３２    回転軸
３２ａ  ボルト孔
３３    ボルト
３４    排出顎
３５    軸孔
３５ａ  押出ボルト穴
３６    スクリュー突起
４０    駆動手段
４１    駆動モータ
４２    減速ギア
５０    排出ノズル
５１    流込孔
５２    支持板
６０    投入スクリュー
７０    回転板
８０    磨耗防止リング
９０    圧力排出路
１００  保管装置
１１０  回収筒
１１２  ヒンジ軸  
１１４  支持部
１１８  収容孔
１２０  回収筒キャップ
１２２  ゴムパッキング
１２４  締結部
１３０  排出管
２００  報知装置
２１０  感知部
【図１】
2006212620.tif 000003
【図２】
2006212620.tif 000004
【図３】
2006212620.tif 000005
【図４】
2006212620.tif 000006
【図５ａ】
2006212620.tif 000007
【図５ｂ】
2006212620.tif 000008
【図６】
2006212620.tif 000009
【図７】
2006212620.tif 000010
【図８】
2006212620.tif 000011
【図９】
2006212620.tif 000012
【図１０】
2006212620.tif 000013
【図１１】
2006212620.tif 000014
【図１２】
2006212620.tif 000015
【図１３】
2006212620.tif 000016
【図１４】
2006212620.tif 000017
【図１５ａ】
2006212620.tif 000018
【図１５ｂ】
2006212620.tif 000019
【図１５ｃ】
2006212620.tif 000020
【図１５ｄ】
2006212620.tif 000021